(57)【要約】【課題】リンクを辿りページ遷移をする必要がなく、効率的にＷｅｂドキュメントに関連した必要とする情報あるいは見られるように意図された情報を表示する方法を提供すること。【解決手段】サーバ１０はＷｅｂドキュメントデータベース１１に記憶したＷｅｂドキュメントを管理するサーバであり、ユーザからのページリクエストに応じて、端末装置２０にページデータを送信する。更に、サーバ１０はＷｅｂドキュメントから抽出した単語に基づき、付加情報データベース１２や履歴データベース１３を検索し、付加情報データを抽出する。端末装置２０にて閲覧されるＷｅｂページには、前記ページデータに基づいた表示がされるが、前記抽出した単語には前記付加情報データを表示するためのリンクが挿入される。ユーザがこのリンク上にマウスを移動させることにより、端末装置２０はサーバ１０から付加情報データを受信し、ポップアップ表示をする。【選択図】図１
2007279901.tif 000002
【特許請求の範囲】
【請求項１】
通信回線を介して端末装置と接続されたサーバが、Ｗｅｂドキュメントに関連する情報を表す付加情報データを前記端末装置に送信する方法であって、
前記Ｗｅｂドキュメントの登録を受け付けたことに応じて、当該Ｗｅｂドキュメントを形態素解析し、所定の単語の抽出をするステップと、
予め記憶しておいた前記付加情報データの中から、前記抽出をした単語に関連するデータの選択をするステップと、
前記選択をした付加情報データとの関連付けを示すデータを含み、前記端末装置で前記Ｗｅｂドキュメントを表示するための表示データの記憶をするステップと、
前記端末装置からの要求に応じて、前記端末装置に前記Ｗｅｂドキュメントの表示に重ねて前記選択をした付加情報データに基づく表示をさせるための表示プログラムと共に、前記表示データを前記端末装置に送信するステップと、
前記選択をした付加情報データを前記端末装置に送信するステップと、
を含む方法。
【請求項２】
前記表示プログラムは、前記端末装置に前記付加情報データの受信をさせるステップを含み、
前記付加情報データを前記端末装置に送信するステップは、前記端末装置で前記表示プログラムが実行されたことにより、前記サーバが前記端末装置から前記付加情報データを要求するデータを受信したことに応じてなすものであることを特徴とする請求項１に記載の方法。
【請求項３】
前記選択をした付加情報データを前記端末装置に送信するステップは、前記表示データを送信したことに続いて、前記端末装置からの要求を待たずになすものであることを特徴とする請求項１に記載の方法。
【請求項４】
前記表示データは、前記端末装置に前記抽出をした単語を強調表示させるものであって、前記端末装置のカーソルが当該単語を表示させた部分に位置していると前記端末装置が判別した場合に前記表示プログラムを実行させるスクリプトを含むものであることを特徴とする請求項１から請求項３のいずれかに記載の方法。
【請求項５】
前記表示プログラムは、前記端末装置に、前記付加情報データに基づく表示をさせた後、カーソルが当該単語を表示させた部分から出たと判別した場合に、前記付加情報データに基づく表示を消去して元のＷｅｂドキュメントの表示をレンダリングさせるステップを含む請求項４に記載の方法。
【請求項６】
前記選択をする付加情報データは、前記抽出をした単語を含むものであることを特徴とする請求項１から請求項５のいずれかに記載の方法。
【請求項７】
前記選択をする付加情報データは、前記抽出をした単語に予め関連付けられたものであることを特徴とする請求項１から請求項６のいずれかに記載の方法。
【請求項８】
前記Ｗｅｂドキュメントの種類を識別するステップを更に含み、
前記選択をする付加情報データは、前記Ｗｅｂドキュメントの種類に予め関連付けられたものであることを特徴とする請求項１から請求項７のいずれかに記載の方法。
【請求項９】
前記端末装置のユーザに関する情報を表すユーザ属性データを前記端末装置から受信するステップを更に含み、
前記選択をする付加情報データは、前記ユーザ属性データに関連するものであることを特徴とする請求項１から請求項８のいずれかに記載の方法。
【請求項１０】
前記選択をする付加情報データに、別のＷｅｂページへのリンクを含めることを特徴とする請求項１から請求項９のいずれかに記載の方法。
【請求項１１】
前記選択をする付加情報データに、別のＷｅｂページへのリンクを含む請求項９に記載の方法であって、
前記Ｗｅｂページへのリンクによるページ遷移あるいは当該遷移先での所定の処理の実績と前記ユーザ属性データとを関連付けた傾向データを記憶するステップを更に含み、
前記選択をする付加情報データは、前記端末装置のユーザのものと類似する前記ユーザ属性データを有する前記傾向データに基づくことを特徴とする方法。
【請求項１２】
前記端末装置のユーザを識別するユーザ識別データを前記端末装置から受信するステップと、
前記Ｗｅｂページへのリンクによるページ遷移あるいは当該遷移先での所定の処理の実績と前記ユーザ識別データとを関連付けた履歴データを記憶するステップと、
を更に含み、
前記選択をする付加情報データは、前記端末装置のユーザに関連付いた前記履歴データに基づくことを特徴とする請求項１０または請求項１１に記載の方法。
【請求項１３】
前記選択をする付加情報データは、前記履歴データの一部が類似する他のユーザの履歴データに基づくことを特徴とする請求項１２に記載の方法。
【請求項１４】
通信回線を介して端末装置と接続され、Ｗｅｂドキュメントに関連する情報を表す付加情報データを前記端末装置に送信するサーバであって、
前記Ｗｅｂドキュメントの登録を受け付けたことに応じて、当該Ｗｅｂドキュメントを形態素解析し、所定の単語の抽出をする手段と、
予め記憶しておいた前記付加情報データの中から、前記抽出をした単語に関連するデータの選択をする手段と、
前記選択をした付加情報データとの関連付けを示すデータを含み、前記端末装置で前記Ｗｅｂドキュメントを表示するための表示データの記憶をする手段と、
前記端末装置からの要求に応じて、前記端末装置に前記Ｗｅｂドキュメントの表示に重ねて前記選択をした付加情報データに基づく表示をさせるための表示プログラムと共に、前記表示データを前記端末装置に送信する手段と、
前記選択をした付加情報データを前記端末装置に送信する手段と、
を備えるサーバ。
【請求項１５】
前記表示プログラムは、前記端末装置に前記付加情報データの受信をさせるステップを含み、
前記付加情報データを前記端末装置に送信する手段は、前記端末装置で前記表示プログラムが実行されたことにより、前記端末装置から前記付加情報データを要求するデータを受信したことに応じて前記付加情報データを送信するものであることを特徴とする請求項１４に記載のサーバ。
【請求項１６】
前記選択をした付加情報データを前記端末装置に送信する手段は、前記表示データを送信したことに続いて、前記端末装置からの要求を待たずに前記付加情報データを送信するものであることを特徴とする請求項１４に記載のサーバ。
【請求項１７】
前記表示データは、前記端末装置に前記抽出をした単語を強調表示させるものであって、前記端末装置のカーソルが当該単語を表示させた部分に位置していると前記端末装置が判別した場合に前記表示プログラムを実行させるスクリプトを含むものであることを特徴とする請求項１４から請求項１６のいずれかに記載のサーバ。
【請求項１８】
前記表示プログラムは、前記端末装置に、前記付加情報データに基づく表示をさせた後、カーソルが当該単語を表示させた部分から出たと判別した場合に、前記付加情報データに基づく表示を消去して元のＷｅｂドキュメントの表示をレンダリングさせるステップを含む請求項１７に記載のサーバ。
【請求項１９】
前記選択をする付加情報データは、前記抽出をした単語を含むものであることを特徴とする請求項１４から請求項１８のいずれかに記載のサーバ。
【請求項２０】
前記選択をする付加情報データは、前記抽出をした単語に予め関連付けられたものであることを特徴とする請求項１４から請求項１９のいずれかに記載のサーバ。
【請求項２１】
前記Ｗｅｂドキュメントの種類を識別する手段を更に備え、
前記選択をする付加情報データは、前記Ｗｅｂドキュメントの種類に予め関連付けられたものであることを特徴とする請求項１４から請求項２０のいずれかに記載のサーバ。
【請求項２２】
前記端末装置のユーザに関する情報を表すユーザ属性データを前記端末装置から受信する手段を更に備え、
前記選択をする付加情報データは、前記ユーザ属性データに関連するものであることを特徴とする請求項１４から請求項２１のいずれかに記載のサーバ。
【請求項２３】
前記選択をする付加情報データに、別のＷｅｂページへのリンクを含めることを特徴とする請求項１４から請求項２２のいずれかに記載のサーバ。
【請求項２４】
前記選択をする付加情報データに、別のＷｅｂページへのリンクを含む請求項２２に記載のサーバであって、
前記Ｗｅｂページへのリンクによるページ遷移あるいは当該遷移先での所定の処理の実績と前記ユーザ属性データとを関連付けた傾向データを記憶する手段を更に備え、
前記選択をする付加情報データは、前記端末装置のユーザのものと類似する前記ユーザ属性データを有する前記傾向データに基づくことを特徴とするサーバ。
【請求項２５】
前記端末装置のユーザを識別するユーザ識別データを前記端末装置から受信する手段と、
前記Ｗｅｂページへのリンクによるページ遷移あるいは当該遷移先での所定の処理の実績と前記ユーザ識別データとを関連付けた履歴データを記憶する手段と、
を更に備え、
前記選択をする付加情報データは、前記端末装置のユーザに関連付いた前記履歴データに基づくことを特徴とする請求項２３または請求項２４に記載のサーバ。
【請求項２６】
前記選択をする付加情報データは、前記履歴データの一部が類似する他のユーザの履歴データに基づくことを特徴とする請求項２５に記載のサーバ。
【請求項２７】
通信回線を介して端末装置と接続されたサーバに、Ｗｅｂドキュメントに関連する情報を表す付加情報データを前記端末装置に送信させる管理プログラムであって、
前記Ｗｅｂドキュメントの登録を受け付けたことに応じて、当該Ｗｅｂドキュメントを形態素解析させ、所定の単語の抽出をさせるステップと、
予め記憶しておいた前記付加情報データの中から、前記抽出をさせた単語に関連するデータの選択をさせるステップと、
前記選択をさせた付加情報データとの関連付けを示すデータを含み、前記端末装置で前記Ｗｅｂドキュメントを表示するための表示データの記憶をさせるステップと、
前記端末装置からの要求に応じて、前記端末装置に前記Ｗｅｂドキュメントの表示に重ねて前記選択をさせた付加情報データに基づく表示をさせるための表示プログラムと共に、前記表示データを前記端末装置に送信させるステップと、
前記選択をさせた付加情報データを前記端末装置に送信させるステップと、
を実行させる管理プログラム。
【請求項２８】
前記表示プログラムは、前記端末装置に前記付加情報データの受信をさせるステップを含み、
前記付加情報データを前記端末装置に送信させるステップは、前記端末装置で前記表示プログラムが実行されたことにより、前記端末装置から前記付加情報データを要求するデータを受信したことに応じてなされるものであることを特徴とする請求項２７に記載の管理プログラム。
【請求項２９】
前記選択をした付加情報データを前記端末装置に送信させるステップは、前記表示データを送信させたことに続いて、前記端末装置からの要求を待たずになされるものであることを特徴とする請求項２７に記載の管理プログラム。
【請求項３０】
前記表示データは、前記端末装置に前記抽出をさせた単語を強調表示させるものであって、前記端末装置のカーソルが当該単語を表示させた部分に位置していると前記端末装置が判別した場合に前記表示プログラムを実行させるスクリプトを含むものであることを特徴とする請求項２７から請求項２９のいずれかに記載の管理プログラム。
【請求項３１】
前記表示プログラムは、前記端末装置に、前記付加情報データに基づく表示をさせた後、カーソルが当該単語を表示させた部分から出たと判別した場合に、前記付加情報データに基づく表示を消去して元のＷｅｂドキュメントの表示をレンダリングさせるステップを含む請求項３０に記載の管理プログラム。
【請求項３２】
前記選択をさせる付加情報データは、前記抽出をさせた単語を含むものであることを特徴とする請求項２７から請求項３１のいずれかに記載の管理プログラム。
【請求項３３】
前記選択をさせる付加情報データは、前記抽出をさせた単語に予め関連付けられたものであることを特徴とする請求項２７から請求項３２のいずれかに記載の管理プログラム。
【請求項３４】
前記Ｗｅｂドキュメントの種類を識別させるステップを更に実行させ、
前記選択をさせる付加情報データは、前記Ｗｅｂドキュメントの種類に予め関連付けられたものであることを特徴とする請求項２７から請求項３３のいずれかに記載の管理プログラム。
【請求項３５】
前記端末装置のユーザに関する情報を表すユーザ属性データを前記端末装置から受信させるステップを更に実行させ、
前記選択をさせる付加情報データは、前記ユーザ属性データに関連するものであることを特徴とする請求項２７から請求項３４のいずれかに記載の管理プログラム。
【請求項３６】
前記選択をさせる付加情報データに、別のＷｅｂページへのリンクを含めることを特徴とする請求項２７から請求項３５のいずれかに記載の管理プログラム。
【請求項３７】
前記選択をさせる付加情報データに、別のＷｅｂページへのリンクを含む請求項３５に記載の管理プログラムであって、
前記Ｗｅｂページへのリンクによるページ遷移あるいは当該遷移先での所定の処理の実績と前記ユーザ属性データとを関連付けた傾向データを記憶させるステップを更に実行させ、
前記選択をさせる付加情報データは、前記端末装置のユーザのものと類似する前記ユーザ属性データを有する前記傾向データに基づくことを特徴とする管理プログラム。
【請求項３８】
前記端末装置のユーザを識別するユーザ識別データを前記端末装置から受信させるステップと、
前記Ｗｅｂページへのリンクによるページ遷移あるいは当該遷移先での所定の処理の実績と前記ユーザ識別データとを関連付けた履歴データを記憶させるステップと、
を更に実行させ、
前記選択をさせる付加情報データは、前記端末装置のユーザに関連付いた前記履歴データに基づくことを特徴とする請求項３６または請求項３７に記載の管理プログラム。
【請求項３９】
前記選択をさせる付加情報データは、前記履歴データの一部が類似する他のユーザの履歴データに基づくことを特徴とする請求項３８に記載の管理プログラム。
【発明の詳細な説明】
【技術分野】
【０００１】
本発明は、Ｗｅｂドキュメントに関連した付加情報データを送信する方法、サーバ、及びプログラムに関する。
【背景技術】
【０００２】
従来、インターネットから知り得る膨大な情報の中から、必要な情報を探索することには労力を伴う。また、広告等を配信あるいは特定のＷｅｂページへ誘導したい業者にとっても、効率的な情報提供方法が望まれている。
【０００３】
このような状況の中で、ニュース等の様々なＷｅｂドキュメントにおいて、効率的に関連情報を閲覧させるため、その内容と関連するドキュメントや広告等を表示する方法が知られている。また、ドキュメントに関連するＷｅｂページへ誘導するためのリンクを挿入する方法も知られている。
【０００４】
例えば、特許文献１には、掲示板に表示させる発言データから商品名を抽出し、対応する商品ページへのリンクを当該商品名に設定する方法が開示されている。また、特許文献２には、メール文中から抽出した単語と利用者の個人情報とを検索条件として提供情報を検索し、提供情報表示のためのリンクを当該単語に設定する方法が開示されている。
【特許文献１】特開２００４−２９５２６７号公報
【特許文献２】特開２００５−２６７１８７号公報
【発明の開示】
【発明が解決しようとする課題】
【０００５】
しかしながら、上述の特許文献１や特許文献２の方法は、関連情報を表示させるためのリンクを挿入する技術であって、ユーザは当該関連情報を実際に表示させるために、リンクをクリックする等の操作を実行することが必要となる。更に、リンクをクリックすることによりページ遷移が発生したり別ウィンドウが開いたりするため、心理的にクリック操作をためらってしまう可能性もある。
【０００６】
そこで、同一ページ内に関連情報を表示することも考えられるが、リンクを辿る手間はかからなくなるものの、複数の情報が一緒に表示されることで煩雑になり、主要な情報が埋もれてしまう可能性がある。また、自動的にリンクを挿入する関連情報の選択においても、当該ユーザの興味に沿ったものをリンクできない可能性もあり、興味のない関連情報を一緒に表示した場合には更に画面が煩雑になり、効率的に情報提供を行うことができなくなる。
【０００７】
そこで本発明は、リンクを辿りページ遷移をしたり新たなウィンドウを開いたりする必要がなく、効率的にＷｅｂドキュメントに関連した必要とする情報、あるいは見られるように意図された情報を表示する方法を提供することを目的とする。
【課題を解決するための手段】
【０００８】
具体的には、以下のようなものを提供する。
【０００９】
（１）  通信回線を介して端末装置と接続されたサーバが、Ｗｅｂドキュメントに関連する情報を表す付加情報データを前記端末装置に送信する方法であって、
前記Ｗｅｂドキュメントの登録を受け付けたことに応じて、当該Ｗｅｂドキュメントを形態素解析し、所定の単語の抽出をするステップと、
予め記憶しておいた前記付加情報データの中から、前記抽出をした単語に関連するデータの選択をするステップと、
前記選択をした付加情報データとの関連付けを示すデータを含み、前記端末装置で前記Ｗｅｂドキュメントを表示するための表示データの記憶をするステップと、
前記端末装置からの要求に応じて、前記端末装置に前記Ｗｅｂドキュメントの表示に重ねて前記選択をした付加情報データに基づく表示をさせるための表示プログラムと共に、前記表示データを前記端末装置に送信するステップと、
前記選択をした付加情報データを前記端末装置に送信するステップと、
を含む方法。
【００１０】
（１）の発明によれば、サーバは、前記Ｗｅｂドキュメントの登録を受け付けたことに応じて、当該Ｗｅｂドキュメントを形態素解析し、所定の単語の抽出をし、予め記憶しておいた前記付加情報データの中から、前記抽出をした単語に関連するデータの選択をし、前記選択をした付加情報データとの関連付けを示すデータを含み、前記端末装置で前記Ｗｅｂドキュメントを表示するための表示データの記憶をし、前記端末装置からの要求に応じて、前記端末装置に前記Ｗｅｂドキュメントの表示に重ねて前記選択をした付加情報データに基づく表示をさせるための表示プログラムと共に、前記表示データを前記端末装置に送信し、前記選択をした付加情報データを前記端末装置に送信する。
【００１１】
このことにより、サーバはＷｅｂドキュメントと関連付けて、Ｗｅｂドキュメントから抽出した単語に関連する付加情報データを端末装置に提供することができる。そして、端末装置にて前記表示プログラムが実行されることにより、例えばポップアップ等により前記Ｗｅｂドキュメントに重ねて前記付加情報データに基づく表示をすることができる。
【００１２】
その結果、端末装置は、サーバから全表示データを再度読み込むことなく、例えばポップアップ部分のみの再描画により同一ページ上で付加情報を表示するため、ユーザはページの移動をする必要がなく、表示プログラムにより自動的に付加情報を閲覧することができる。また、付加情報の提供元にとっては、ページレイアウトを崩すことなく、当該付加情報を表示させる機会を増やせる可能性がある。
【００１３】
（２）  前記表示プログラムは、前記端末装置に前記付加情報データの受信をさせるステップを含み、
前記付加情報データを前記端末装置に送信するステップは、前記端末装置で前記表示プログラムが実行されたことにより、前記サーバが前記端末装置から前記付加情報データを要求するデータを受信したことに応じてなすものであることを特徴とする（１）に記載の方法。
【００１４】
（２）の発明によれば、端末装置で前記表示プログラムが実行されたことにより、サーバが前記端末装置から前記付加情報データを要求するデータを受信したことに応じて、前記付加情報データを前記端末装置に送信する。
【００１５】
このことにより、端末装置は、必要に応じてサーバから前記付加情報データを受信することができる。よって、端末装置とサーバとの間でＷｅｂページ全体に関連する付加情報データ全てを通信する必要がない。その結果、当該サーバ及び当該通信回線の負荷を抑制し、効率良く当該付加情報を送信することができる。
【００１６】
（３）  前記選択をした付加情報データを前記端末装置に送信するステップは、前記表示データを送信したことに続いて、前記端末装置からの要求を待たずになすものであることを特徴とする（１）に記載の方法。
【００１７】
（３）の発明によれば、サーバは、前記表示データを送信したことに続いて、前記端末装置からの要求を待たずに前記付加情報データを前記端末装置に送信する。
【００１８】
このことにより、サーバは端末装置で表示され得る付加情報データを前もって送信しておくことができる。よって、端末装置が付加情報データを表示する際に、既に当該付加情報データの受信が完了している場合には、サーバと通信することなく当該付加情報データを表示できる。この場合には、当該端末装置は通信が完了するまで待機する必要がなくなり、当該付加情報を表示するための時間を短縮できる。
【００１９】
（４）  前記表示データは、前記端末装置に前記抽出をした単語を強調表示させるものであって、前記端末装置のカーソルが当該単語を表示させた部分に位置していると前記端末装置が判別した場合に前記表示プログラムを実行させるスクリプトを含むものであることを特徴とする（１）から（３）のいずれかに記載の方法。
【００２０】
（４）の発明によれば、サーバは、前記抽出をした単語に例えばリンクを付ける等の強調表示をさせ、前記端末装置のカーソルが当該単語を表示させた部分に位置したことを判別した場合に前記表示プログラムを実行させることができる。
【００２１】
このことにより、端末装置は、表示したＷｅｂドキュメント内の単語上にマウスを位置付ける操作を受け付けることにより、ポップアップ等で前記Ｗｅｂドキュメントに重ねて前記付加情報データに基づく表示をすることができる。よって、端末装置のユーザは、リンクをクリックしてページを移動したり別ウィンドウを開いたりする必要がないため、心理的なためらいを感じることなく効率的に付加情報を閲覧できる可能性がある。
【００２２】
（５）  前記表示プログラムは、前記端末装置に、前記付加情報データに基づく表示をさせた後、カーソルが当該単語を表示させた部分から出たと判別した場合に、前記付加情報データに基づく表示を消去して元のＷｅｂドキュメントの表示をレンダリングさせるステップを含む（４）に記載の方法。
【００２３】
（５）の発明によれば、端末装置は、前記付加情報データに基づく表示をした後、カーソルが当該単語を表示させた部分から出たと判別した場合に、前記付加情報データに基づく表示を消去して元のＷｅｂドキュメントの表示をレンダリングする。
【００２４】
このことにより、端末装置は、所定の単語上にマウスを位置付けている間だけ付加情報を表示することができる。よって、ユーザが付加情報の関連付けられている複数の単語を連続して選択した場合であっても、表示画面が煩雑になることなく現在位置付けている単語に関する付加情報のみを表示することができる。
【００２５】
（６）  前記選択をする付加情報データは、前記抽出をした単語を含むものであることを特徴とする（１）から（５）のいずれかに記載の方法。
【００２６】
（６）の発明によれば、サーバはＷｅｂドキュメントに含まれる単語に関する情報（例えばシリーズ商品データ、商品画像等）を端末装置に表示させることができる。よって、ユーザは当該Ｗｅｂドキュメントに関して、より詳しい情報を得ることができる。
【００２７】
（７）  前記選択をする付加情報データは、前記抽出をした単語に予め関連付けられたものであることを特徴とする（１）から（６）のいずれかに記載の方法。
【００２８】
（７）の発明によれば、サーバはＷｅｂドキュメントに含まれる単語に予め関連付けられた情報（例えば人名に紐付く著書等）を端末装置に表示させることができる。よって、ユーザは当該Ｗｅｂドキュメントに関連した幅広い情報を得ることができる。また、情報提供者にとっては、例えば関連商品の広告等として、情報の掲載機会を増やせる可能性がある。
【００２９】
（８）  前記Ｗｅｂドキュメントの種類を識別するステップを更に含み、
前記選択をする付加情報データは、前記Ｗｅｂドキュメントの種類に予め関連付けられたものであることを特徴とする（１）から（７）のいずれかに記載の方法。
【００３０】
（８）の発明によれば、サーバは、前記Ｗｅｂドキュメントの種類を識別し、前記付加情報データの中から、前記Ｗｅｂドキュメントの種類に予め関連付けられたデータを選択する。
【００３１】
このことにより、サーバは同じ単語であってもＷｅｂドキュメントの種類に応じて、より相応しい付加情報を端末装置に表示させられる可能性がある。
【００３２】
（９）  前記端末装置のユーザに関する情報を表すユーザ属性データを前記端末装置から受信するステップを更に含み、
前記選択をする付加情報データは、前記ユーザ属性データに関連するものであることを特徴とする（１）から（８）のいずれかに記載の方法。
【００３３】
（９）の発明によれば、サーバは、前記端末装置のユーザに関する情報を表すユーザ属性データを前記端末装置から受信し、前記付加情報データの中から、前記ユーザ属性データに関連するデータを選択する。
【００３４】
このことにより、サーバはユーザの属性に基づいて、より当該ユーザに相応しい付加情報を端末装置に表示させられる可能性がある。よって、当該ユーザの関心を引く情報を効果的に提供できる可能性がある。
【００３５】
（１０）  前記選択をする付加情報データに、別のＷｅｂページへのリンクを含めることを特徴とする（１）から（９）のいずれかに記載の方法。
【００３６】
（１０）の発明によれば、端末装置に表示した付加情報から、別のＷｅｂページ（例えば商品の購入サイト等）へ移動することができる。よってユーザは、例えば、当該別のＷｅｂページの内容を、クリック操作を行って閲覧する前に、その内容の一部や要約、広告等をクリック操作なしに閲覧し、当該内容を見るか否かの判断材料を得ることができる可能性がある。また、情報提供者にとっては、リンクを効果的に数多く設置できることで、リンク先への誘導件数を増加させられる可能性がある。
【００３７】
（１１）  前記選択をする付加情報データに、別のＷｅｂページへのリンクを含む（９）に記載の方法であって、
前記Ｗｅｂページへのリンクによるページ遷移あるいは当該遷移先での所定の処理の実績と前記ユーザ属性データとを関連付けた傾向データを記憶するステップを更に含み、
前記選択をする付加情報データは、前記端末装置のユーザのものと類似する前記ユーザ属性データを有する前記傾向データに基づくことを特徴とする方法。
【００３８】
（１１）の発明によれば、サーバは、前記Ｗｅｂページへのリンクによるページ遷移あるいは当該遷移先での所定の処理の実績と前記ユーザ属性データとを関連付けた傾向データを記憶し、前記付加情報データの中から、前記端末装置のユーザのものと類似する前記ユーザ属性データを有する前記傾向データに基づくデータを選択する。
【００３９】
このことにより、Ｗｅｂページを要求したユーザと類似した（性別、年代、地域等）人の傾向から付加情報を表示できるため、より当該ユーザが関心のある付加情報を表示できる可能性がある。
【００４０】
（１２）  前記端末装置のユーザを識別するユーザ識別データを前記端末装置から受信するステップと、
前記Ｗｅｂページへのリンクによるページ遷移あるいは当該遷移先での所定の処理の実績と前記ユーザ識別データとを関連付けた履歴データを記憶するステップと、
を更に含み、
前記選択をする付加情報データは、前記端末装置のユーザに関連付いた前記履歴データに基づくことを特徴とする（１０）または（１１）に記載の方法。
【００４１】
（１２）の発明によれば、サーバは、前記端末装置のユーザを識別するユーザ識別データを前記端末装置から受信し、前記付加情報データの中から、前記端末装置のユーザに関連付いた前記履歴データに基づくデータを選択する。
【００４２】
このことにより、サーバは例えばユーザが興味のない情報を除外するなど、当該ユーザの興味を反映した付加情報を表示できる可能性がある。
【００４３】
（１３）  前記選択をする付加情報データは、前記履歴データの一部が類似する他のユーザの履歴データに基づくことを特徴とする（１２）に記載の方法。
【００４４】
（１３）の発明によれば、サーバは例えば趣味嗜好が似ている他のユーザの傾向から、関心を持ちそうな付加情報を端末装置に表示させることができる。よって、端末装置のユーザを付加情報に含まれるリンク先へ効果的に誘導できる可能性がある。
【００４５】
（１４）  通信回線を介して端末装置と接続され、Ｗｅｂドキュメントに関連する情報を表す付加情報データを前記端末装置に送信するサーバであって、
前記Ｗｅｂドキュメントの登録を受け付けたことに応じて、当該Ｗｅｂドキュメントを形態素解析し、所定の単語の抽出をする手段と、
予め記憶しておいた前記付加情報データの中から、前記抽出をした単語に関連するデータの選択をする手段と、
前記選択をした付加情報データとの関連付けを示すデータを含み、前記端末装置で前記Ｗｅｂドキュメントを表示するための表示データの記憶をする手段と、
前記端末装置からの要求に応じて、前記端末装置に前記Ｗｅｂドキュメントの表示に重ねて前記選択をした付加情報データに基づく表示をさせるための表示プログラムと共に、前記表示データを前記端末装置に送信する手段と、
前記選択をした付加情報データを前記端末装置に送信する手段と、
を備えるサーバ。
【００４６】
（１４）の発明によれば、当該サーバを運用することにより、（１）と同様の効果が期待できる。
【００４７】
（１５）  前記表示プログラムは、前記端末装置に前記付加情報データの受信をさせるステップを含み、
前記付加情報データを前記端末装置に送信する手段は、前記端末装置で前記表示プログラムが実行されたことにより、前記端末装置から前記付加情報データを要求するデータを受信したことに応じて前記付加情報データを送信するものであることを特徴とする（１４）に記載のサーバ。
【００４８】
（１５）の発明によれば、当該サーバを運用することにより、（２）と同様の効果が期待できる。
【００４９】
（１６）  前記選択をした付加情報データを前記端末装置に送信する手段は、前記表示データを送信したことに続いて、前記端末装置からの要求を待たずに前記付加情報データを送信するものであることを特徴とする（１４）に記載のサーバ。
【００５０】
（１６）の発明によれば、当該サーバを運用することにより、（３）と同様の効果が期待できる。
【００５１】
（１７）  前記表示データは、前記端末装置に前記抽出をした単語を強調表示させるものであって、前記端末装置のカーソルが当該単語を表示させた部分に位置していると前記端末装置が判別した場合に前記表示プログラムを実行させるスクリプトを含むものであることを特徴とする（１４）から（１６）のいずれかに記載のサーバ。
【００５２】
（１７）の発明によれば、当該サーバを運用することにより、（４）と同様の効果が期待できる。
【００５３】
（１８）  前記表示プログラムは、前記端末装置に、前記付加情報データに基づく表示をさせた後、カーソルが当該単語を表示させた部分から出たと判別した場合に、前記付加情報データに基づく表示を消去して元のＷｅｂドキュメントの表示をレンダリングさせるステップを含む（１７）に記載のサーバ。
【００５４】
（１８）の発明によれば、当該サーバを運用することにより、（５）と同様の効果が期待できる。
【００５５】
（１９）  前記選択をする付加情報データは、前記抽出をした単語を含むものであることを特徴とする（１４）から（１８）のいずれかに記載のサーバ。
【００５６】
（１９）の発明によれば、当該サーバを運用することにより、（６）と同様の効果が期待できる。
【００５７】
（２０）  前記選択をする付加情報データは、前記抽出をした単語に予め関連付けられたものであることを特徴とする（１４）から（１９）のいずれかに記載のサーバ。
【００５８】
（２０）の発明によれば、当該サーバを運用することにより、（７）と同様の効果が期待できる。
【００５９】
（２１）  前記Ｗｅｂドキュメントの種類を識別する手段を更に備え、
前記選択をする付加情報データは、前記Ｗｅｂドキュメントの種類に予め関連付けられたものであることを特徴とする（１４）から（２０）のいずれかに記載のサーバ。
【００６０】
（２１）の発明によれば、当該サーバを運用することにより、（８）と同様の効果が期待できる。
【００６１】
（２２）  前記端末装置のユーザに関する情報を表すユーザ属性データを前記端末装置から受信する手段を更に備え、
前記選択をする付加情報データは、前記ユーザ属性データに関連するものであることを特徴とする（１４）から（２１）のいずれかに記載のサーバ。
【００６２】
（２２）の発明によれば、当該サーバを運用することにより、（９）と同様の効果が期待できる。
【００６３】
（２３）  前記選択をする付加情報データに、別のＷｅｂページへのリンクを含めることを特徴とする（１４）から（２２）のいずれかに記載のサーバ。
【００６４】
（２３）の発明によれば、当該サーバを運用することにより、（１０）と同様の効果が期待できる。
【００６５】
（２４）  前記選択をする付加情報データに、別のＷｅｂページへのリンクを含む（２２）に記載のサーバであって、
前記Ｗｅｂページへのリンクによるページ遷移あるいは当該遷移先での所定の処理の実績と前記ユーザ属性データとを関連付けた傾向データを記憶する手段を更に備え、
前記選択をする付加情報データは、前記端末装置のユーザのものと類似する前記ユーザ属性データを有する前記傾向データに基づくことを特徴とするサーバ。
【００６６】
（２４）の発明によれば、当該サーバを運用することにより、（１１）と同様の効果が期待できる。
【００６７】
（２５）  前記端末装置のユーザを識別するユーザ識別データを前記端末装置から受信する手段と、
前記Ｗｅｂページへのリンクによるページ遷移あるいは当該遷移先での所定の処理の実績と前記ユーザ識別データとを関連付けた履歴データを記憶する手段と、
を更に備え、
前記選択をする付加情報データは、前記端末装置のユーザに関連付いた前記履歴データに基づくことを特徴とする（２３）または（２４）に記載のサーバ。
【００６８】
（２５）の発明によれば、当該サーバを運用することにより、（１２）と同様の効果が期待できる。
【００６９】
（２６）  前記選択をする付加情報データは、前記履歴データの一部が類似する他のユーザの履歴データに基づくことを特徴とする（２５）に記載のサーバ。
【００７０】
（２６）の発明によれば、当該サーバを運用することにより、（１３）と同様の効果が期待できる。
【００７１】
（２７）  通信回線を介して端末装置と接続されたサーバに、Ｗｅｂドキュメントに関連する情報を表す付加情報データを前記端末装置に送信させる管理プログラムであって、
前記Ｗｅｂドキュメントの登録を受け付けたことに応じて、当該Ｗｅｂドキュメントを形態素解析させ、所定の単語の抽出をさせるステップと、
予め記憶しておいた前記付加情報データの中から、前記抽出をさせた単語に関連するデータの選択をさせるステップと、
前記選択をさせた付加情報データとの関連付けを示すデータを含み、前記端末装置で前記Ｗｅｂドキュメントを表示するための表示データの記憶をさせるステップと、
前記端末装置からの要求に応じて、前記端末装置に前記Ｗｅｂドキュメントの表示に重ねて前記選択をさせた付加情報データに基づく表示をさせるための表示プログラムと共に、前記表示データを前記端末装置に送信させるステップと、
前記選択をさせた付加情報データを前記端末装置に送信させるステップと、
を実行させる管理プログラム。
【００７２】
（２７）の発明によれば、当該管理プログラムを実行することにより、（１）と同様の効果が期待できる。
【００７３】
（２８）  前記表示プログラムは、前記端末装置に前記付加情報データの受信をさせるステップを含み、
前記付加情報データを前記端末装置に送信させるステップは、前記端末装置で前記表示プログラムが実行されたことにより、前記端末装置から前記付加情報データを要求するデータを受信したことに応じてなされるものであることを特徴とする（２７）に記載の管理プログラム。
【００７４】
（２８）の発明によれば、当該管理プログラムを実行することにより、（２）と同様の効果が期待できる。
【００７５】
（２９）  前記選択をした付加情報データを前記端末装置に送信させるステップは、前記表示データを送信させたことに続いて、前記端末装置からの要求を待たずになされるものであることを特徴とする（２７）に記載の管理プログラム。
【００７６】
（２９）の発明によれば、当該管理プログラムを実行することにより、（３）と同様の効果が期待できる。
【００７７】
（３０）  前記表示データは、前記端末装置に前記抽出をさせた単語を強調表示させるものであって、前記端末装置のカーソルが当該単語を表示させた部分に位置していると前記端末装置が判別した場合に前記表示プログラムを実行させるスクリプトを含むものであることを特徴とする（２７）から（２９）のいずれかに記載の管理プログラム。
【００７８】
（３０）の発明によれば、当該管理プログラムを実行することにより、（４）と同様の効果が期待できる。
【００７９】
（３１）  前記表示プログラムは、前記端末装置に、前記付加情報データに基づく表示をさせた後、カーソルが当該単語を表示させた部分から出たと判別した場合に、前記付加情報データに基づく表示を消去して元のＷｅｂドキュメントの表示をレンダリングさせるステップを含む（３０）に記載の管理プログラム。
【００８０】
（３１）の発明によれば、当該管理プログラムを実行することにより、（５）と同様の効果が期待できる。
【００８１】
（３２）  前記選択をさせる付加情報データは、前記抽出をさせた単語を含むものであることを特徴とする（２７）から（３１）のいずれかに記載の管理プログラム。
【００８２】
（３２）の発明によれば、当該管理プログラムを実行することにより、（６）と同様の効果が期待できる。
【００８３】
（３３）  前記選択をさせる付加情報データは、前記抽出をさせた単語に予め関連付けられたものであることを特徴とする（２７）から（３２）のいずれかに記載の管理プログラム。
【００８４】
（３３）の発明によれば、当該管理プログラムを実行することにより、（７）と同様の効果が期待できる。
【００８５】
（３４）  前記Ｗｅｂドキュメントの種類を識別させるステップを更に実行させ、
前記選択をさせる付加情報データは、前記Ｗｅｂドキュメントの種類に予め関連付けられたものであることを特徴とする（２７）から（３３）のいずれかに記載の管理プログラム。
【００８６】
（３４）の発明によれば、当該管理プログラムを実行することにより、（８）と同様の効果が期待できる。
【００８７】
（３５）  前記端末装置のユーザに関する情報を表すユーザ属性データを前記端末装置から受信させるステップを更に実行させ、
前記選択をさせる付加情報データは、前記ユーザ属性データに関連するものであることを特徴とする（２７）から（３４）のいずれかに記載の管理プログラム。
【００８８】
（３５）の発明によれば、当該管理プログラムを実行することにより、（９）と同様の効果が期待できる。
【００８９】
（３６）  前記選択をさせる付加情報データに、別のＷｅｂページへのリンクを含めることを特徴とする（２７）から（３５）のいずれかに記載の管理プログラム。
【００９０】
（３６）の発明によれば、当該管理プログラムを実行することにより、（１０）と同様の効果が期待できる。
【００９１】
（３７）  前記選択をさせる付加情報データに、別のＷｅｂページへのリンクを含む（３５）に記載の管理プログラムであって、
前記Ｗｅｂページへのリンクによるページ遷移あるいは当該遷移先での所定の処理の実績と前記ユーザ属性データとを関連付けた傾向データを記憶させるステップを更に実行させ、
前記選択をさせる付加情報データは、前記端末装置のユーザのものと類似する前記ユーザ属性データを有する前記傾向データに基づくことを特徴とする管理プログラム。
【００９２】
（３７）の発明によれば、当該管理プログラムを実行することにより、（１１）と同様の効果が期待できる。
【００９３】
（３８）  前記端末装置のユーザを識別するユーザ識別データを前記端末装置から受信させるステップと、
前記Ｗｅｂページへのリンクによるページ遷移あるいは当該遷移先での所定の処理の実績と前記ユーザ識別データとを関連付けた履歴データを記憶させるステップと、
を更に実行させ、
前記選択をさせる付加情報データは、前記端末装置のユーザに関連付いた前記履歴データに基づくことを特徴とする（３６）または（３７）に記載の管理プログラム。
【００９４】
（３８）の発明によれば、当該管理プログラムを実行することにより、（１２）と同様の効果が期待できる。
【００９５】
（３９）  前記選択をさせる付加情報データは、前記履歴データの一部が類似する他のユーザの履歴データに基づくことを特徴とする（３８）に記載の管理プログラム。
【００９６】
（３９）の発明によれば、当該管理プログラムを実行することにより、（１３）と同様の効果が期待できる。
【発明の効果】
【００９７】
本発明によれば、付加情報はＷｅｂページ内で重ねて表示するため、ユーザは、リンクを辿りページ遷移をする必要がなく、効率的に付加情報（Ｗｅｂドキュメントに関連した必要とする情報、あるいは見られるように意図された情報）を閲覧することができる。更に、端末装置は適宜必要な情報のみを受信するため、ページ全体を読み込むことに比べてサーバとの間の通信量が減るので、ユーザは表示ストレスを感じることなく付加情報を閲覧できる可能性がある。
【発明を実施するための最良の形態】
【００９８】
本発明に係る好適な実施形態の一例について、図面に基づいて以下に説明する。
【００９９】
［全体構成］
図１は、本発明の好適な実施形態の一例に係るコンピュータシステムの全体概念図である。
【０１００】
サーバ１０はＷｅｂドキュメントデータベース１１に記憶したＷｅｂドキュメントを管理するサーバであり、ユーザからのページリクエストに応じて、端末装置２０にページデータを送信する。更に、サーバ１０はＷｅｂドキュメントから抽出した単語に基づき、付加情報データベース１２や履歴データベース１３を検索し、付加情報データを抽出する。
【０１０１】
端末装置２０にて閲覧されるＷｅｂページには、前記ページデータに基づいた表示がされるが、前記抽出した単語には前記付加情報データを表示するためのリンクが挿入される。ユーザがこのリンク上にマウスを移動させることにより、端末装置２０はサーバ１０から付加情報データを受信し、ポップアップ表示をする。
【０１０２】
ポップアップされた付加情報データには、他システムのページへ移動するボタン等を配置することができ、例えば付加情報として表示した商品の購入ページ等に遷移する構成にすることができる。
【０１０３】
サーバ１０は、このような付加情報の表示履歴や、他システムでの処理（商品購入等）の履歴をユーザに関する情報（識別ＩＤ、年齢等の属性）と関連付けて履歴データベース１３に記憶し、これらと端末装置から受信したユーザ属性とを組み合わせて前述の付加情報データの抽出に利用する（処理の詳細は後述する）。
【０１０４】
なお、本実施例においてはサーバ１０を１台の構成として説明するが、サーバ１０の数はこれに限られず、データベースごと、あるいは後述する処理機能ごとに分散する構成とすることもできる。
【０１０５】
［コンピュータの構成］
図２は、本発明の好適な実施形態の一例に係るコンピュータシステムを構成する各コンピュータ（サーバ１０、または端末装置２０）の構成を示すブロック図である。
【０１０６】
制御部１１０、記憶部１２０、入力部１３０、表示部１４０、通信制御部１５０は、バス１６０を介して接続されている。
【０１０７】
制御部１１０は、情報の演算、処理を行う情報演算処理装置（ＣＰＵ）であり、当該コンピュータ全体の制御を行う。制御部１１０は、記憶部１２０に記憶された各種プログラムを適宜読み出して実行することにより、上述のハードウエアと協働し、本発明に係る各種機能を実現している。
【０１０８】
記憶部１２０は、制御部１１０と組み合わせてプログラムの実行に使用するローカルメモリ、大容量のバルクメモリ、および当該バルクメモリの検索を効率的に行うために使用するキャッシュメモリを含んでよい。記憶部１２０を実現するコンピュータ可読媒体としては、電気的、磁気的、光学的、電磁的に実現するものを含んでよい。より具体的には、半導体記憶装置、磁気テープ、フロッピー（登録商標）ディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【０１０９】
入力部１３０は、ユーザによる入力の受付を行うものであり、キーボード、ポインティング・デバイス等を含んでよい。入力部１３０は、直接または介在Ｉ／Ｏコントローラを介して当該コンピュータと接続することができる。
【０１１０】
表示部１４０は、ユーザにデータの入力を受け付ける画面を表示したり、当該コンピュータによる演算処理結果の画面を表示したりするものであり、ブラウン管表示装置（ＣＲＴ）、液晶表示装置（ＬＣＤ）等のディスプレイ装置を含む。表示部１４０は、直接または介在Ｉ／Ｏコントローラを介して当該コンピュータと接続することができる。
【０１１１】
通信制御部１５０は、当該コンピュータを専用ネットワークまたは公共ネットワークを介して別の演算処理システムまたは記憶装置と接続できるようにするためのネットワーク・アダプタである。通信制御部１５０は、モデム、ケーブル・モデムおよびイーサネット（登録商標）・アダプタを含んでよい。
【０１１２】
［Ｗｅｂページの表示処理］
図３は、本発明の好適な実施形態の一例に係るＷｅｂページの表示処理フローを示す図である。
【０１１３】
ステップＳ１０５では、端末装置２０は、Ｗｅｂページを要求するデータをサーバ１０に対して送信する。このとき、端末装置２０のユーザに関する属性データ（識別ＩＤ、性別、年齢、地域等）もあわせて送信する。
【０１１４】
ステップＳ１１０では、サーバ１０は、ステップＳ１０５にて要求されたＷｅｂページについて、それに含まれる商品名や人名等の単語に関連した付加情報データを付加情報データベース１２から抽出する。このとき、ユーザの属性データに基づいて処理（図６にて後述する）することもできるが、当該属性データとは無関係に処理（図４にて後述する）することもできる。この場合には、ステップＳ１１０はステップＳ１０５のページ要求よりも前に、予め完了しておくことが可能である。
【０１１５】
ステップＳ１１５では、サーバ１０は、端末装置２０から要求されたＷｅｂページを表示するためのデータと共に、ステップＳ１１０にて用意した付加情報データを表示するためのプログラムを端末装置２０に送信する。当該プログラムは、後述のステップＳ１３０からＳ１４０を端末装置２０に実行させるものである。
【０１１６】
ここで、端末装置２０に表示するＷｅｂページには、当該プログラムの実行をユーザから受け付けるためのリンクを挿入しておく。ユーザは、このリンクの上にマウスを移動させる、あるいはリンクをクリックする等の操作により、当該プログラムを実行させることになる。
【０１１７】
ステップＳ１２０では、端末装置２０は、ステップＳ１１５にてサーバ１０から受信したデータに基づき、ブラウザ上にＷｅｂページを表示する。
【０１１８】
ステップＳ１２５では、前述のように、端末装置２０がユーザからの入力（リンクの上にマウスを移動させる、あるいはリンクをクリックする等）を受け付け、ステップＳ１３０以降の処理へと進む。
【０１１９】
ステップＳ１３０では、端末装置２０は、Ｗｅｂページ上に重ねて表示（ポップアップ等）する付加情報データを、サーバ１０に要求する。
【０１２０】
ステップＳ１３５では、サーバ１０は、ステップＳ１３０にて要求された付加情報データを端末装置２０に送信する。なお、当該付加情報データは、ステップＳ１１０にて抽出されたものである。
【０１２１】
ここで、ステップＳ１３５は、ステップＳ１３０の要求に基づいて行われることとしたが、形態はこれに限られず、例えばステップＳ１１５にてページデータを送信すると共に、あるいはページデータを送信した後に、サーバ１０は、ステップＳ１３０の要求を待たずに付加情報データを端末装置２０に送信することとしてもよい。この場合には、端末装置２０が予め必要な付加情報データを取得できるため、ステップＳ１２５でユーザからの入力を受け付けた時には、既に当該付加情報データを得ていることが期待できる。既に当該付加情報データを得ている場合には、ステップＳ１３０は不要となる。よって、ユーザは、サーバとの間の通信を待つ必要がなくなるため、表示ストレスを感じることなく付加情報を閲覧できる可能性がある。
【０１２２】
ステップＳ１４０では、端末装置２０は、ステップＳ１３５にて取得した付加情報データを、ポップアップ等の手法により、Ｗｅｂページ上に重ねて表示する。このことにより、元のページデザインを変更することなくＷｅｂページに付加情報を含めることができる。更に端末装置２０のユーザは、ページ遷移を伴わずに必要に応じて付加情報を閲覧することができる。
【０１２３】
なお、ここで表示した付加情報データは、例えばリンク上からマウスが離れたことにより消去し、元のＷｅｂページをレンダリングすることとしてよい。このことにより、ユーザは必要な間だけ付加情報を閲覧することができ、例えば複数のリンクの上をマウスで次々と移動した場合にも、一つの単語に関連する付加情報データのみが表示される。
【０１２４】
［付加情報の抽出処理］
図４は、本発明の好適な実施形態の一例に係る付加情報の抽出処理フローを示す図である（図３のステップＳ１１０に相当する）。ここでは、ページ要求をしたユーザの属性に基づかない処理について説明する。当該処理は、Ｗｅｂページの要求を受信（図３のステップＳ１０５）する前に行うこととしてよい。
【０１２５】
ステップＳ２０５では、サーバ１０は、自らが管理するＷｅｂドキュメントデータの登録受け付けを行う。ニュース等、端末装置２０からの要求に応じて提供するＷｅｂページデータを、Ｗｅｂドキュメントデータベース１１に記憶する。
【０１２６】
なお、当該Ｗｅｂドキュメントデータの登録受け付けは、サーバ１０の入力部１３０による入力受け付けにより行ってもよいし、サーバ１０が、サーバ１０以外の別のサーバに対する入力操作を受け付けた旨を示すデータを当該別のサーバから受信することにより行ってもよい。
【０１２７】
ステップＳ２１０では、サーバ１０は、ステップＳ２０５にて受け付けたＷｅｂドキュメントデータについて、形態素解析を行う。このことにより、Ｗｅｂドキュメントは品詞に分解される。
【０１２８】
ステップＳ２１５では、サーバ１０は、ステップＳ２１０にて分解された品詞の中から、付加情報を関連付ける候補となる単語を抽出する。具体的には例えば、図５に示す例のように、ドキュメントに含まれる商品名や人名等を抽出する。後の処理で当該商品名や人名に関する付加情報を取得し端末装置２０にて表示させることにより、商品や著書の購入へとユーザを誘導することが可能となる。
【０１２９】
ステップＳ２２０では、サーバ１０は、Ｗｅｂドキュメントの種類を判別する。具体的には例えば、ニュース記事、観光案内、個人ホームページ等の区分を判別する。これは、予めＷｅｂドキュメントに挿入しておいた区分情報や、Ｗｅｂドキュメントに含まれる特徴的な単語から判別することができる。
【０１３０】
ステップＳ２２５では、サーバ１０は、ステップＳ２１５にて抽出した単語に関連した付加情報データを付加情報データベース１２より抽出する。そしてステップＳ２３０にて、サーバ１０は、抽出した付加情報データをＷｅｂドキュメントデータと対応付けて記憶する。
【０１３１】
付加情報データを抽出する際は、ステップＳ２１５にて抽出した単語、あるいはステップＳ２２０にて判別したＷｅｂドキュメントの種類を以下のように用いる。
【０１３２】
付加情報データベース１２には、例えば図７の付加情報テーブル３０が記憶される。付加情報テーブル３０は、付加情報を識別するＩＤ（情報ＩＤフィールド）、付加情報を表す名称（情報名フィールド）、端末装置２０にて表示させる画像等のデータ（表示データフィールド）、付加情報からユーザを誘導させたいページへのリンク（リンクフィールド）、付加情報に係るキーワード群（関連キーワードフィールド）を含んでいる。
【０１３３】
サーバ１０は、ステップＳ２１５にて抽出した単語と、例えば情報名フィールドとのマッチングを行い、一致するかあるいは類似する場合に、表示データフィールド及びリンクフィールドのデータを付加情報データとして抽出する。この場合には、当該抽出した単語に関する詳細情報や画像データあるいはシリーズ商品等をユーザに閲覧させることができる。
【０１３４】
図１１に示す表示例では、ユーザがニュース記事に含まれる商品名にマウスを移動させることにより、シリーズ商品の画像を表示している。更に、各商品には購入サイトへ移動できるボタンをそれぞれ配置することにより、効率的にユーザを購入サイトへ誘導できる。
【０１３５】
また、同様に関連キーワードフィールドとのマッチングを行い、一致するかあるいは類似する場合に、表示データフィールド及びリンクフィールドのデータを付加情報データとして抽出することとしてもよい。この場合には、当該抽出した単語と関連する情報、例えば作家の著書等をユーザに閲覧させることができる。
【０１３６】
図１２に示す表示例では、ユーザがニュース記事に含まれる人名にマウスを移動させることにより、著書の画像を表示している。更に、各書籍には購入システムと連動したボタンをそれぞれ配置することにより、効率的にユーザを購入処理へ誘導できる。
【０１３７】
ところで、付加情報データベース１２にはまた、例えば図８の付加コンテンツテーブル４０が記憶される。付加コンテンツテーブル４０は、付加情報を識別するＩＤ（情報ＩＤフィールド）、付加情報を表す名称（情報名フィールド）、端末装置２０にて表示させるコンテンツデータや実行させるプログラム（表示データフィールド）、単語の種別（キーワード種別フィールド）、Ｗｅｂページの種別（ページ種別フィールド）、ユーザを特徴付ける性別や年齢等の属性（ユーザ属性フィールド）を含んでいる。
【０１３８】
ここでは、サーバ１０は、まずステップＳ２２０にて判別したＷｅｂドキュメントの種類と、ページ種別フィールドとのマッチングを行う。両者が一致した場合に、ステップＳ２１５にて抽出した単語の種別（商品名、人名、地名等）を判別した上で、キーワードフィールドとのマッチングを行う。これも両者が一致した場合に、表示データフィールドのデータ（コンテンツ）を付加情報データとして抽出する。これによればサーバ１０は、例えばタレント紹介ページに現れたタレント名に対して、相性占いプログラム等を提供することができる。
【０１３９】
図１３に示す表示例では、ユーザがホームページ上の人名にマウスを移動させることにより、相性を占うコンテンツを表示している。
【０１４０】
なお、付加情報データの抽出にＷｅｂドキュメントの種類を反映させない場合には、ステップＳ２２０の処理は不要となる。このように、付加情報データを抽出する規則は様々なパターンが考えられ、上述の例には限られない。また、当該抽出する規則は、サーバ１０が予め固定して記憶することとしてもよいし、規則を示すデータの入力を受け付けることとしてもよい。また、例えばユーザ属性に基づいて当該抽出する規則を使い分けることとしてもよいし、Ｗｅｂドキュメントデータに当該抽出する規則を指定するデータを予め埋め込むこととしてもよい。
【０１４１】
［ユーザ属性に基づく付加情報の抽出処理］
図６は、本発明の好適な実施形態の一例に係るユーザ属性に基づく付加情報の抽出処理フローを示す図である（図３のステップＳ１０５からＳ１１０に相当する）。
【０１４２】
ステップＳ３０５においてＷｅｂページデータの要求を受信したことに伴って、ステップＳ３１０でサーバ１０は、端末装置２０からユーザの属性データを受信する。具体的には例えば、識別ＩＤ、性別、年齢、地域等であり、システム利用に係る会員登録等により予め取得し記憶することとしてもよい。その場合には、識別ＩＤを受信することにより、他の属性データを紐付けて取得する。
【０１４３】
ステップＳ３１５では、サーバ１０は、ステップＳ３１０にて取得したユーザ属性データと符合する付加情報データを付加情報データベース１２から抽出する。具体的には例えば、図８の付加コンテンツテーブル４０を利用し、前記取得したユーザ属性データとユーザ属性フィールドとのマッチングを行う。そして両者が一致あるいは類似する場合に、表示データフィールドのデータを付加情報データとして抽出する。このとき、前述したキーワード種別やページ種別によるマッチングを併せて行ってよい。
【０１４４】
なお、付加情報テーブル３０（図７）にユーザ属性フィールドを追加することで、同様のマッチングにより付加情報データを抽出することもできる。ここで、情報名フィールドや関連キーワードフィールドによるマッチングを併せて行ってもよい。
【０１４５】
ステップＳ３２０では、サーバ１０は、ページを要求したユーザと属性が類似している、あるいは傾向（商品購入履歴等）が類似しているユーザに関するデータを、履歴データベース１３から抽出する。具体的には例えば、図９の傾向テーブル５０や図１０の履歴テーブル６０を利用することができる。
【０１４６】
傾向テーブル５０では、ユーザ属性に紐付けて、付加情報データの表示や、そこから誘導される処理の実行結果（商品の購入等）の実績を記憶する。具体的には処理日時（日時フィールド）、端末装置２０のユーザの属性（ユーザ属性フィールド）、表示した付加情報データの識別ＩＤ（情報ＩＤフィールド）、付加情報から誘導されてページ遷移した等の結果（結果フィールド）を含む。
【０１４７】
サーバ１０は、ステップＳ３１０にて取得したユーザ属性と、傾向テーブル５０のユーザ属性フィールドとのマッチングを行い、一致あるいは類似するレコードを抽出する。
【０１４８】
履歴テーブル６０では、ユーザを識別するＩＤに紐付けて、付加情報データの表示や、そこから誘導される処理の実行結果（商品の購入等）の実績を記憶する。具体的には識別ＩＤ（ユーザＩＤフィールド）、表示した付加情報データの識別ＩＤ（情報ＩＤフィールド）、付加情報から誘導されてページ遷移した等の結果（結果フィールド）、同一ページへの遷移回数（回数フィールド）を含む。
【０１４９】
サーバ１０は、情報ＩＤフィールドのデータが類似している別のユーザに紐付いた情報ＩＤに基づいて付加情報データを抽出する。ここで、例えば購入まで進んだ商品に限定すれば、傾向の似通ったユーザが購入した商品データを抽出することにより、関心の高い付加情報を表示できる可能性がある。
【０１５０】
ステップＳ３２５では、サーバ１０は、これまでのステップにより抽出された付加情報データから、実際に端末装置２０に送信して表示させる付加情報データを選別する。具体的には例えば、履歴テーブル６０においてページ遷移回数が多いデータはユーザの関心が高い情報であるとみなし、優先度を高めることとしてよい。また、付加情報から誘導されて別システム（ページ）において購入等の処理まで進んだデータについては、今後は表示不要な情報として除外するとしてもよい。
【０１５１】
そして、サーバ１０は、このようにして選別した付加情報データを、Ｗｅｂドキュメントデータと対応付けて記憶する。
【０１５２】
［他の実施例］
本実施形態によれば、サーバ１０は、Ｗｅｂドキュメントというテキストに基づいて、端末装置２０において付加情報を効率的に表示させ、更に予め意図したシステム（ページ）へ効果的に誘導できる。これにより、以上の実施例の他にも、様々な応用例が考えられる。
【０１５３】
例えば、会社名から資料請求へ誘導する、地名からホテル予約へ誘導する等が可能である。また、商品名から閲覧時間帯に基づいて出前リストを表示することもできる。また、商品名からは購入以外にも例えばクーポンリストを表示する等もできる。更にまた、人名からは関連する動画コンテンツの表示やＤＶＤ等の購入へと誘導することもできる。
【０１５４】
そして、このような例では、付加情報データは広告として機能するため、広告主にとっては当該付加情報データの表示機会は多いほど良い。そのためには例えば、ブログ等のＷｅｂドキュメントデータに予め表示させたい商品の種類等を設定しておくことにより、広告表示あるいは広告主の管理する商品ページの閲覧機会を増加させればよい。これにより、当該広告表示あるいは当該商品ページでの購入実績に基づいて、前記Ｗｅｂドキュメントデータの作者に対価を支払うといったサービスを行うことができる。
【０１５５】
以上説明したように、本発明によればサーバ１０は、様々なＷｅｂドキュメントに含まれるテキストに関連した付加情報データを自動的に紐付けることができる。更に、当該Ｗｅｂドキュメントはレイアウトを変えることなく端末装置２０にて表示し、付加情報データはポップアップ等により、当該Ｗｅｂドキュメントに重ねて表示できる。
【０１５６】
更にまた、端末装置２０のユーザは、ページ遷移等の操作をすることなく、例えばマウスを移動させるだけで付加情報データを表示させることができるため、効率的に情報を得ることができる。また、端末装置２０は前記付加情報データをＷｅｂページの表示とは非同期に取得して描画するため、Ｗｅｂページデータの再読み込みが発生せず、ユーザはページの書き換えを待つ必要がない。そして、付加情報（商品広告等）の提供者にとっても、効果的に当該付加情報の表示機会を増やせる可能性がある。
【０１５７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１５８】
【図１】本発明の好適な実施形態の一例に係るコンピュータシステムの全体概念図である。
【図２】本発明の好適な実施形態の一例に係るコンピュータシステムを構成する各コンピュータの構成を示すブロック図である。
【図３】本発明の好適な実施形態の一例に係るＷｅｂページの表示処理フローを示す図である。
【図４】本発明の好適な実施形態の一例に係る付加情報の抽出処理フローを示す図である。
【図５】本発明の好適な実施形態の一例に係るＷｅｂドキュメントに含まれる単語の抽出例を示す図である。
【図６】本発明の好適な実施形態の一例に係るユーザ属性に基づく付加情報の抽出処理フローを示す図である。
【図７】本発明の好適な実施形態の一例に係る付加情報テーブル３０を示す図である。
【図８】本発明の好適な実施形態の一例に係る付加コンテンツテーブル４０を示す図である。
【図９】本発明の好適な実施形態の一例に係る傾向テーブル５０を示す図である。
【図１０】本発明の好適な実施形態の一例に係る履歴テーブル６０を示す図である。
【図１１】本発明の好適な実施形態の一例に係る付加情報データの表示例を示す図である。
【図１２】本発明の好適な実施形態の一例に係る付加情報データの表示例を示す図である。
【図１３】本発明の好適な実施形態の一例に係る付加情報データの表示例を示す図である。
【符号の説明】
【０１５９】
１０    サーバ
１１    Ｗｅｂドキュメントデータベース
１２    付加情報データベース
１３    履歴データベース
２０    端末装置
３０    付加情報テーブル
４０    付加コンテンツテーブル
５０    傾向テーブル
６０    履歴テーブル
１１０  制御部
１２０  記憶部
１３０  入力部
１４０  表示部
１５０  通信制御部
１６０  バス
【図１】
2007279901.tif 000003
【図２】
2007279901.tif 000004
【図３】
2007279901.tif 000005
【図４】
2007279901.tif 000006
【図５】
2007279901.tif 000007
【図６】
2007279901.tif 000008
【図７】
2007279901.tif 000009
【図８】
2007279901.tif 000010
【図９】
2007279901.tif 000011
【図１０】
2007279901.tif 000012
【図１１】
2007279901.tif 000013
【図１２】
2007279901.tif 000014
【図１３】
2007279901.tif 000015